(57)【要約】【課題】印刷装置における部品の交換要否の判断を高い信頼性に基づいて行うことができる印刷装置及び同装置における部品の交換要否判断プログラムを提供する。【解決手段】交換要否判断プログラムは、媒体を搬送方向に搬送する搬送部及び前記媒体に印刷を行う印刷部を備えた印刷装置における部品の交換要否判断プログラムであって、前記印刷装置によって、前記搬送方向における複数箇所を含むように前記媒体に印刷したパターンの読取データを取得するデータ取得機能と、前記読取データに基づいて、前記搬送部における前記媒体の搬送に関わる部品の交換の要否を判断する判断機能と、をコンピューターに実現させる。【選択図】図５
2016138996.tif 000002
【特許請求の範囲】
【請求項１】
媒体を搬送方向に搬送する搬送部及び前記媒体に印刷を行う印刷部を備えた印刷装置における部品の交換要否判断プログラムであって、
前記印刷装置によって、前記搬送方向における複数箇所を含むように前記媒体に印刷したパターンの読取データを取得するデータ取得機能と、
前記読取データに基づいて、前記搬送部における前記媒体の搬送に関わる部品の交換の要否を判断する判断機能と、
をコンピューターに実現させることを特徴とする交換要否判断プログラム。
【請求項２】
請求項１に記載の交換要否判断プログラムであって、
前記判断機能において、前記読取データが示す前記搬送部による実際の媒体の搬送量と、前記搬送部による目標とした媒体の搬送量との差分に基づいて、前記部品の交換の要否を判断することを特徴とする交換要否判断プログラム。
【請求項３】
請求項２に記載の交換要否判断プログラムであって、
前記判断機能において、前記差分の絶対値が、前記搬送部の動作の補正で対応可能な値である許容値以上である場合に、前記部品の交換が必要であると判断することを特徴とする交換要否判断プログラム。
【請求項４】
媒体を搬送方向に搬送する搬送部と、
前記媒体に印刷を行う印刷部と、
前記搬送部に前記媒体を搬送させる搬送制御と前記印刷部に前記媒体に対する印刷を行わせる印刷制御とを実行可能な制御部と、を備え、
前記制御部は、請求項１〜請求項３のうち何れか一項に記載の交換要否判断プログラムにおける前記データ取得機能で取得される前記読取データと対応する前記パターンを、前記搬送制御及び前記印刷制御を実行することによって前記媒体に印刷させることを特徴とする印刷装置。
【請求項５】
請求項４に記載の印刷装置であって、
前記搬送部は、前記媒体の搬送に関わる部品として、前記搬送方向における複数箇所に配置された複数のローラーを含み、
前記制御部は、前記複数のローラーのうち最も前記印刷部に近い位置に配置されたローラーが前記媒体を搬送しているときに、前記印刷部によって前記パターンを前記媒体に印刷させることを特徴とする印刷装置。
【請求項６】
請求項４又は請求項５に記載の印刷装置であって、
前記搬送部は、前記媒体の搬送に関わる部品として、第１のローラーと、第２のローラーと、を含み、
前記制御部は、前記第１のローラーが前記搬送方向に前記媒体を搬送しているときに、前記印刷部によって第１のパターンを前記パターンとして前記媒体に印刷させ、前記第２のローラーが前記搬送方向に前記媒体を搬送しているときに、前記印刷部によって第２のパターンを前記パターンとして前記媒体に印刷させることを特徴とする印刷装置。
【発明の詳細な説明】
【技術分野】
【０００１】
本発明は、例えばインクジェットプリンターなどの印刷装置及び同装置における部品の交換要否判断プログラムに関する。
【背景技術】
【０００２】
従来から、印刷装置の一種として、所定方向に搬送される媒体に対して媒体の搬送方向と直交する方向に移動する印刷ヘッドから液体の一例であるインクを噴射して印刷を行うインクジェットプリンターが知られている。こうしたプリンターでは、媒体を搬送する搬送部の部品である搬送ローラーが長年の使用により摩耗すると、そのローラー径が変化するために媒体の搬送距離に誤差を生じてしまい、インクの着弾位置がずれて印刷品質を低下させる虞がある。そこで、こうした搬送ローラーの摩耗状況を判定し、その判定結果に基づいて搬送ローラーなどのプリンターにおける部品の交換時期を判定可能とする用紙搬送機の摩耗測定装置が提案されている（例えば特許文献１参照）。
【先行技術文献】
【特許文献】
【０００３】
【特許文献１】特開平６−３２５２８号公報
【発明の概要】
【発明が解決しようとする課題】
【０００４】
ところで、上述の摩耗測定装置では、搬送ローラーの駆動により搬送される媒体の走行長を、搬送経路の途中に配置したフォトカプラからなる検出部の検出信号と予め記憶している媒体の搬送速度とに基づき算出し、その算出結果に所定の換算処理と加算処理をすることにより所定の値を取得している。そして、そのような換算処理等を経て取得した所定の値と予め記憶している特定値とを比較することにより、媒体を搬送する部品の１つである搬送ローラーの摩耗状況を予測して、その交換の要否を判断していた。
【０００５】
しかしながら、上述の摩耗測定装置において、フォトカプラからの検出信号と搬送速度とに基づく算出結果である媒体の走行長は実測値であるが、その走行長に対して換算処理等をして得られる最終の値は、実測値ではなく推測に基づく推測値でしかなかった。そのため、そのような推測値を予め記憶した特定値と比較して行う交換要否の判断結果には、信頼性の点で問題があった。
【０００６】
本発明は、このような実情に鑑みてなされたものであり、その目的は、印刷装置における部品の交換要否の判断を高い信頼性に基づいて行うことができる印刷装置及び同装置における部品の交換要否判断プログラムを提供することにある。
【課題を解決するための手段】
【０００７】
以下、上記課題を解決するための手段及びその作用効果について記載する。
上記課題を解決する交換要否判断プログラムは、媒体を搬送方向に搬送する搬送部及び前記媒体に印刷を行う印刷部を備えた印刷装置における部品の交換要否判断プログラムであって、前記印刷装置によって、前記搬送方向における複数箇所を含むように前記媒体に印刷したパターンの読取データを取得するデータ取得機能と、前記読取データに基づいて、前記搬送部における前記媒体の搬送に関わる部品の交換の要否を判断する判断機能と、をコンピューターに実現させる。
【０００８】
この構成によれば、印刷装置によって、搬送方向における複数箇所を含むように媒体に印刷したパターンの読取データに基づいて、印刷装置における部品について、媒体の搬送に支障が生じるか否かを判断できる。また、その判断は、搬送部により実際に搬送される媒体に印刷部が実際に印刷したパターンの読取データに基づいており、推測になってしまう換算処理はしていない。そのため、印刷装置における部品の交換要否の判断を高い信頼性に基づいて行うことができる。
【０００９】
また、上記交換要否判断プログラムは、前記判断機能において、前記読取データが示す前記搬送部による実際の媒体の搬送量と、前記搬送部による目標とした媒体の搬送量との差分に基づいて、前記部品の交換の要否を判断することが好ましい。
【００１０】
この構成によれば、実際に搬送部が媒体を搬送した実際の搬送量と目標とした搬送量との差分に基づいて、高い信頼性の下で部品の交換要否の判断を行うことができる。
また、上記交換要否判断プログラムは、前記判断機能において、前記差分の絶対値が、前記搬送部の動作の補正で対応可能な値である許容値以上である場合に、前記部品の交換が必要であると判断することが好ましい。
【００１１】
実際の搬送量と目標とした搬送量との差分の絶対値が許容値以上である場合には、搬送部の部品の状態が著しく悪化していることが多い。この構成によれば、そのような場合において部品の交換が必要であると適切に判断することができる。
【００１２】
また、上記課題を解決する印刷装置は、媒体を搬送方向に搬送する搬送部と、前記媒体に印刷を行う印刷部と、前記搬送部に前記媒体を搬送させる搬送制御と前記印刷部に前記媒体に対する印刷を行わせる印刷制御とを実行可能な制御部と、を備え、前記制御部は、上記の交換要否判断プログラムにおける前記データ取得機能で取得される前記読取データと対応する前記パターンを、前記搬送制御及び前記印刷制御を実行することによって前記媒体に印刷させる。
【００１３】
この構成によれば、印刷装置において、上記の交換要否判断プログラムの場合と同様の作用効果を得ることができる。
また、上記印刷装置において、前記搬送部は、前記媒体の搬送に関わる部品として、前記搬送方向における複数箇所に配置された複数のローラーを含み、前記制御部は、前記複数のローラーのうち最も前記印刷部に近い位置に配置されたローラーが前記媒体を搬送しているときに、前記印刷部によって前記パターンを前記媒体に印刷させることが好ましい。
【００１４】
この構成によれば、印刷部により媒体に印刷される画像の品質に最も影響するローラーである、印刷部に最も近い位置のローラーの交換の要否を判断できる。
また、上記印刷装置において、前記搬送部は、前記媒体の搬送に関わる部品として、第１のローラーと、第２のローラーと、を含み、前記制御部は、前記第１のローラーが前記搬送方向に前記媒体を搬送しているときに、前記印刷部によって第１のパターンを前記パターンとして前記媒体に印刷させ、前記第２のローラーが前記搬送方向に前記媒体を搬送しているときに、前記印刷部によって第２のパターンを前記パターンとして前記媒体に印刷させることが好ましい。
【００１５】
この構成によれば、複数のローラーがある場合に、ローラーごとに対応するパターンを印刷し、それぞれのパターンに対応した読取データを取得可能である。そのため、ローラーが複数存在する場合でも、各ローラーについて交換の要否を判断することができる。
【図面の簡単な説明】
【００１６】
【図１】印刷システムの概略を示すシステム構成図。
【図２】印刷装置を模式的に示す構造図。
【図３】印刷システムにおける制御構成を示すブロック図。
【図４】交換要否の判断用パターンが印刷された用紙の平面図。
【図５】ローラーの交換要否を判断する処理手順を示すフローチャート。
【図６】実搬送量と目標搬送量との差分を閾値と比較して示すグラフ。
【発明を実施するための形態】
【００１７】
以下、印刷装置を含む複合機とパーソナルコンピューター（以下、「ＰＣ」という。）とを有し、印刷装置が媒体の一例である用紙に印刷したパターンのパターン態様に基づき、印刷装置における部品の交換の要否を判断可能とした印刷システムの一実施形態を、図面に従って説明する。
【００１８】
図１に示すように、印刷システムは、複合機１１と、表示部１２ａ及び入力部１２ｂを有するＰＣ１２とが、通信回線１３を介してデータ通信可能に接続されることにより構成されている。複合機１１は、印刷機能を有する印刷装置１４と、読取機能を有する画像読取装置１５と、給紙機能を有する自動給紙装置１６とを備えている。印刷装置１４の上に画像読取装置１５が配置され、画像読取装置１５の上に自動給紙装置１６が配置されている。そして、印刷装置１４の上部において画像読取装置１５の側方（図１では手前側）となる位置に複合機１１における各種動作を操作するための操作部１７が設けられている。この操作部１７は、例えばタッチパネル方式の操作画面などで構成される。
【００１９】
図２に示すように、印刷装置１４内には、媒体の一例としての用紙Ｐが搬送される媒体搬送路２０と、複数のローラー（ローラー対）によって構成されるとともに用紙Ｐを媒体搬送路２０に沿って搬送する搬送部２１とが備えられている。また、印刷装置１４の内部において媒体搬送路２０の途中位置には、用紙Ｐを鉛直方向Ｚの下側から支持する支持台２２と、支持台２２に支持された用紙Ｐに画像を印刷（記録）する印刷部２３とが、媒体搬送路２０を挟んで対向するように配置されている。
【００２０】
搬送部２１は、図２における紙面と直交する方向を用紙Ｐの幅方向Ｘとし、この幅方向Ｘと交差する方向を搬送方向として、用紙Ｐを媒体搬送路２０に沿って搬送方向の上流側から下流側に向けて搬送する。印刷部２３は、用紙Ｐの搬送方向と交差する幅方向Ｘの略全域に渡ってインクを同時に噴射可能な液体噴射ヘッドとしてのラインヘッドを下部に備え、支持台２２上を搬送される用紙Ｐに対して鉛直方向Ｚの上側からインクを噴射して付着させることにより画像（文字、図形、パターンなど）を印刷する。
【００２１】
印刷された用紙Ｐは、搬送部２１において用紙Ｐに接触して回転する部品の一例であるローラーからなる排紙ローラー対２４や他の複数の搬送ローラー対２５により媒体搬送路２０を搬送され、媒体搬送路２０の下流側の端部に設けられた媒体排出口２６から白抜き矢印で示す排出方向Ｙに排出される。そして、媒体排出口２６から排出された用紙Ｐは、印刷部２３の鉛直方向Ｚの上側に配置された載置台２７上に落下し、図２において二点鎖線で示すように積層状態で載置される。
【００２２】
図２に示すように、媒体搬送路２０は、用紙Ｐを印刷部２３から媒体排出口２６まで搬送する媒体排出路３４と、用紙Ｐを印刷部２３に供給する媒体供給路とを有し、媒体供給路は、第１媒体供給路３１と、第２媒体供給路３２と、第３媒体供給路３３とによって構成されている。媒体排出路３４は、印刷部２３により印刷された用紙Ｐが媒体排出口２６まで搬送される間において、印刷部２３により印刷された用紙Ｐの記録面を内側にして湾曲する湾曲路３４Ａと、この湾曲路３４Ａから媒体排出口２６へ向かって用紙Ｐが一方向に搬送される直線路３４Ｂとを有している。
【００２３】
第１媒体供給路３１では、プリンター部１２の一側面に備えられたカバー３５を開けることによって露出する挿入口３６から挿入される用紙Ｐが印刷部２３へ搬送される。すなわち、挿入口３６へ挿入された用紙Ｐは、ホッパー３７によって第１駆動ローラー３８ａに押し付けられ、第１駆動ローラー３８ａの回転駆動によって搬送されて第１駆動ローラー３８ａと第１従動ローラー３８ｂとの間に挟まれた後、第１駆動ローラー３８ａの回転駆動によって印刷部２３へ向かって搬送される。
【００２４】
第２媒体供給路３２では、印刷装置１４内の底部に挿抜可能に備えらえた用紙カセット３９に積層可能に載置される用紙Ｐが印刷部２３へ搬送される。すなわち、用紙カセット３９に積層状態で載置された用紙Ｐは、最上位の用紙Ｐがピックアップローラー４０で送り出され、分離ローラー対４１で一枚ずつに分離された後、第２駆動ローラー４２ａと第２従動ローラー４２ｂとの間に挟まれ、第２駆動ローラー４２ａの回転駆動によって印刷部２３へ向かって搬送される。
【００２５】
第３媒体供給路３３では、用紙Ｐに対して両側のシート面（紙面）に印刷する両面印刷を行う場合に、印刷部２３によって片側のシート面が印刷済みとされた用紙Ｐが、再び印刷部２３へ搬送される。すなわち、印刷部２３よりも用紙Ｐの搬送方向の下流側には、媒体排出路３４の途中に設けられた分岐機構４３の動作によって媒体排出路３４から分岐する分岐搬送路４４が設けられている。分岐搬送路４４には、正転と逆転の双方の回転が可能な分岐搬送路ローラー対４５が分岐機構４３の下流側に設けられている。
【００２６】
そして、片側のシート面が印刷された用紙Ｐは、両面印刷に際して印刷部２３側から載置台２７側に向かって一旦この分岐搬送路４４へ、正転する分岐搬送路ローラー対４５によって搬送される。このとき分岐搬送路４４へ搬送された用紙Ｐはその搬送方向の先端側の一部Ｐｅが媒体排出口２６から飛び出した場合、載置台２７に積層状態で載置された用紙Ｐとは接触しないようにその飛び出し位置が設定されている。
【００２７】
その後、分岐搬送路４４へ搬送された用紙Ｐは、逆転する分岐搬送路ローラー対４５によって分岐搬送路４４を載置台２７側から印刷部２３側へ逆搬送される。このとき、逆搬送される用紙Ｐは第３媒体供給路３３へ搬送され、複数の搬送ローラー対２５によって印刷部２３に向かって搬送される。この第３媒体供給路３３への搬送によって、用紙Ｐは印刷されていないシート面が印刷部２３と対向するように反転し、第３駆動ローラー４６ａと第３従動ローラー４６ｂとの間に挟まれ、第３駆動ローラー４６ａの回転駆動によって印刷部２３へ向かって搬送される。
【００２８】
各媒体供給路を印刷部２３へ向かって搬送される用紙Ｐは、印刷部２３の搬送方向の上流側に配設された整列ローラー対４７まで搬送されたのち、回転が停止した整列ローラー対４７にその先端が突き当たる。そして、用紙Ｐは、このような整列ローラー対４７へ突き当たった状態によって搬送方向に対する傾きが補正（スキュー取り）される。そして傾きが補正された用紙Ｐは、その後の整列ローラー対４７の回転駆動によって、整列状態となって印刷部２３側へ搬送される。
【００２９】
整列ローラー対４７によって印刷部２３側に搬送された用紙Ｐは、印刷部２３に対して用紙Ｐの搬送方向の上流側に配設された紙送りローラー対４８や搬送方向の下流側に配設された排紙ローラー対２４及び搬送ローラー対２５などによって、印刷部２３に対向しながら搬送される。この搬送される用紙Ｐに、対向する印刷部２３からインクが噴射されて印刷が行われる。なお、本実施形態では、媒体搬送路２０の複数箇所（すなわち用紙Ｐの搬送方向における複数箇所）に配置された各ローラー対２４，２５，４１，４５，４７，４８のうち、紙送りローラー対４８を構成するローラー（以下、「紙送りローラー」という。）が、印刷部２３に最も近い位置に配置されたローラーとなる。
【００３０】
また、図２に示すように、印刷装置１４内には、印刷部２３に供給するインクを貯留する液体貯留部５０が備えられている。すなわち、液体貯留部５０は、チューブなどによって構成される図示しないインク供給路を介して、貯留したインクを印刷部２３に供給し、印刷部２３は供給されたインクを噴射して用紙Ｐに画像等を印刷する。
【００３１】
液体貯留部５０は、複数種類（ここでは４つの色）のインクをそれぞれ貯留する液体貯留体としてのインクカートリッジ５１，５２，５３，５４と、各インクカートリッジ５１，５２，５３，５４が装着される枠体５５を含んで構成されている。各インクカートリッジ５１，５２，５３，５４は長手方向を有する略直方体形状とされ、一面が開口する箱形状とされた枠体５５に対して、長手方向を挿抜方向として挿抜可能に装着される。なお、枠体５５の開口は、印刷装置１４における操作部１７の下側に設けられた開閉カバー５６により覆われており、その開閉カバー５６が開放されることで露出する。
【００３２】
また、図２に示すように、複合機１１の印刷装置１４内には、複合機１１の動作を制御するコンピューター６０が設けられている。このコンピューター６０は、例えばＰＣ１２から通信回線１３を介して入力される情報や、操作部１７から入力される情報に基づき、複合機１１を構成する印刷装置１４や画像読取装置１５及び自動給紙装置１６の各動作を制御する。
【００３３】
次に、印刷システムにおける制御構成について説明する。
図３に示すように、印刷装置１４が備えるコンピューター６０は、中央処理装置としての論理演算機能を有するＣＰＵ等からなる制御部６１、所定の情報を読み出し可能に記憶するＲＯＭ及び各種の情報を書き込み／読み出し可能に記憶するＲＡＭ等からなる記憶部６２を備えたデジタルコンピューターとして構成されている。
【００３４】
制御部６１は、インターフェース（図示略）を介して各種の情報が入力された場合に、印刷装置１４による用紙Ｐに対する印刷や画像読取装置１５による画像の読取などの処理手順を制御するために必要とされる各種の論理演算を行うと共に、その論理演算において使用される各種情報の読み出し及び書き込みを行う。また、記憶部６２には、複合機１１の稼動状態を制御するために用いられる各種のプログラムが記憶されている。
【００３５】
なお、記憶部６２に記憶される各種のプログラムのうちには、印刷装置１４が用紙Ｐに印刷したパターンのパターン態様に基づいて搬送部２１のローラー対２４，２５，４１，４５，４７，４８を構成するローラー（部品）の交換の要否を判断する際に制御部６１が実行する交換要否判断プログラムも含まれる。詳細は後述するが、このプログラムは、媒体（用紙Ｐ）を搬送方向に搬送する搬送部２１及び媒体に印刷を行う印刷部２３を備えた印刷装置１４における部品の交換要否判断プログラムである。因みに、この交換要否判断プログラムは、複合機１１又はＰＣ１２に設けられたカード挿入口（図示略）に挿入可能なメモリカードなどの記憶媒体に記憶させておき、その記憶媒体から必要に応じて読み出すようにしてもよい。
【００３６】
また、図３に示すように、コンピューター６０には、ＰＣ１２がデータ通信可能に接続されると共に、複合機１１における画像読取装置１５、自動給紙装置１６及び操作部１７がデータ通信可能に接続されている。ＰＣ１２は、表示部１２ａに表示したパターンなどの画像の情報を入力部１２ｂの操作に基づきコンピューター６０に送信することにより、そのコンピューター６０の制御に基づき印刷装置１４において用紙Ｐに画像を印刷させることが可能である。また、ＰＣ１２はコンピューター６０から印刷実行中であることを示す情報などを受信可能である。
【００３７】
操作部１７は、例えば印刷装置１４によりパターンが印刷された用紙Ｐを自動給紙装置１６により画像読取装置１５に給紙して用紙Ｐからパターンの画像を読み取らせる際などに操作される。すなわち、自動給紙装置１６は、パターンなどの画像が印刷された用紙Ｐをセットされた状態において、操作部１７から給紙及び読取の指令情報がコンピューター６０に入力されると、そのコンピューター６０の制御に基づき画像読取装置１５に用紙Ｐを給紙する。そして、自動給紙装置１６により用紙Ｐが給紙された画像読取装置１５は、給紙経路の途中に設けられた読取位置を通過する用紙Ｐからパターンなどの画像を読み取り、その読取情報をコンピューター６０に送信する。
【００３８】
また、図３に示すように、コンピューター６０には、印刷装置１４における搬送部２１を駆動するモーター等からなる搬送系駆動部６３と、印刷部２３におけるラインヘッドを駆動するヘッド駆動部６４が接続されている。すなわち、搬送系駆動部６３は、コンピューター６０の制御に基づき、搬送部２１の各ローラー対２４，２５，４１，４５，４７，４８を回転させたり、その回転を停止させたりする。また、ヘッド駆動部６４は、コンピューター６０の制御に基づき、ラインヘッドがインクを噴射する際に駆動される圧電素子等に対して電圧を印加する。
【００３９】
本実施形態におけるコンピューター６０の制御部６１は、ＰＣ１２及び操作部１７との間でデータ通信することにより各種の処理を行う複数の機能部を有している。すなわち、制御部６１は、搬送部２１による用紙Ｐの搬送量の管理や、ローラー対２４，２５，４１，４５，４７，４８を構成するローラー（部品）の交換の要否判断などを行うための機能部として、データ取得部６５、補正値算出部６６及び交換要否判断部６７を備えている。
【００４０】
データ取得部６５は、画像読取装置１５によるパターンなどの画像の読取データを取得し、その取得したデータを必要に応じて記憶部６２に記憶させる。また、補正値算出部６６は、データ取得部６５が取得したパターンの読取データに基づき搬送部２１による用紙Ｐの搬送量の補正値を算出し、その算出した補正値を必要に応じて記憶部６２に記憶させる。また、交換要否判断部６７は、データ取得部６５が取得したパターンの読取データに基づき搬送部２１のローラー対２４，２５，４１，４５，４７，４８を構成するローラー（部品）の交換の要否を判断する。なお、このような印刷装置１４における搬送部２１の構成部品であるローラーの交換の要否を判断する場合には、その印刷装置１４を使用して用紙Ｐに交換要否の判断用パターンが印刷される。
【００４１】
すなわち、図４に示すように、用紙Ｐには、その搬送方向である紙送り方向Ｙ１と交差（ここでは直交）する方向に延びる複数本のライン（線分）Ｌからなる交換要否の判断用パターンＰＡＴが印刷される。この判断用パターンＰＡＴは、用紙Ｐ上での紙送り方向Ｙ１における複数の箇所を印刷箇所として含むように、複数本のラインＬが紙送り方向Ｙ１に一定の間隔Ｄをおいて位置するパターン態様で印刷されている。
【００４２】
本実施形態では、一例として搬送部２１のローラー対２４，２５，４１，４５，４７，４８を構成するローラー（この場合、駆動ローラー）が用紙Ｐに接触しつつ回転して用紙Ｐを印刷部２３に搬送する場合において、そのローラーの回転角度が６０度進む毎に印刷部２３によりラインＬが一本ずつ搬送途中の用紙Ｐに印刷される。したがって、用紙Ｐには、ローラーの外周面の一周（３６０度）分を一単位として、ｎ（ｎは１以上の整数）周目の６本のラインＬに続けてｎ＋１周目以降の各ラインＬが印刷される。因みに、図４の判断用パターンＰＡＴは、ｎ周目からｎ＋５周目までの合計３０本（６本×５周分）のラインＬが、紙送り方向Ｙ１で隣り合うラインＬ同士の間に一定の間隔Ｄを各々空けたパターン態様となるように印刷されている。
【００４３】
なお、印刷装置１４で実際に用紙Ｐに印刷された判断用パターンＰＡＴにおける紙送り方向Ｙ１で隣り合うラインＬ同士の間隔は、搬送部２１による用紙Ｐの実搬送量のデータ値を示すものである。そして、この実搬送量のデータ値と関連するデータ値として、記憶部６２には、印刷装置１４で用紙Ｐに判断用パターンＰＡＴを印刷するときに紙送り方向Ｙ１で隣り合うラインＬ同士の間隔が目標とする一定間隔Ｄとなるように用紙Ｐを搬送部２１が搬送するための目標搬送量のデータ値が記憶されている。なお、実搬送量とは、搬送部２１による実際の媒体（用紙Ｐ）の搬送量である。また、目標搬送量とは、搬送部２１による目標とした媒体の搬送量である。実搬送量と目標搬送量との間には、種々の要因によって差分が発生する場合がある。
【００４４】
次に、図５を参照しながら、本実施形態の印刷システムにおいてコンピューター６０の制御部６１が交換要否判断プログラムに基づき実行する搬送部２１のローラー（部品）の交換要否判断に関わる制御処理ルーチンについて説明する。なお、本ルーチンはユーザーがＰＣ１２又は操作部１７において本ルーチンの開始を指令する操作を行った場合に開始される。
【００４５】
さて、本ルーチンが開始されると、ステップＳ１１において、判断用パターンＰＡＴが用紙Ｐに印刷される。すなわち、制御部６１は、搬送系駆動部６３を制御し、搬送部２１に用紙Ｐを印刷部２３よりも搬送方向の上流側から下流側に向けて搬送させるとともに、ヘッド駆動部６４を制御し、印刷部２３に支持台２２上を通過する用紙Ｐに対してインクの噴射により判断用パターンＰＡＴ（図４参照）を印刷させる。
【００４６】
そして、次のステップＳ１２において、制御部６１は、画像読取装置１５において用紙Ｐの判断用パターンＰＡＴを読み取らせるための操作がＰＣ１２又は操作部１７においてあったか否かを判断する。この場合、先のステップＳ１１で判断用パターンＰＡＴが印刷された用紙Ｐは、ユーザーによって自動給紙装置１６にセットされた後、ユーザーがＰＣ１２又は操作部１７からパターンの読取指令情報を入力すると、画像読取装置１５に給紙される。
【００４７】
そのため、ＰＣ１２又は操作部１７から読取指令情報が入力されると、制御部６１は、搬送部２１が搬送している用紙Ｐに対して印刷部２３が印刷した判断用パターンＰＡＴについての読取指令があった（Ｓ１２＝ＹＥＳ）と判断し、その処理を次のステップＳ１３に移行する。なお、この判断は、一定の時間（例えば１０秒）をおいて行われ、読取指令がない場合（Ｓ１２＝ＮＯ）には、その判断処理が周期的に繰り返される。
【００４８】
そしてステップＳ１３では、画像読取装置１５に給紙された用紙Ｐから判断用パターンＰＡＴが読み取られる。すなわち、制御部６１は、その機能部の１つであるデータ取得部６５が画像読取装置１５を制御し、読取位置を通過する用紙Ｐから判断用パターンＰＡＴを読み取らせるとともに、その読取データを取得して記憶部６２に一時的に記憶させる。したがって、本実施形態では、このステップＳ１３が用紙Ｐに印刷された判断用パターンＰＡＴの読取データを取得するデータ取得ステップに相当する。交換要否判断プログラムは、データ取得ステップを実行可能とすることで、データ取得機能をコンピューターに実現させていると言える。データ取得機能についてまとめると、印刷装置１４によって、搬送方向における複数箇所を含むように媒体（用紙Ｐ）に印刷したパターンの読取データを取得する機能であると言える。そして、このステップＳ１３の処理を行った後、制御部６１は、その処理を次のステップＳ１４に移行する。
【００４９】
すると、次のステップＳ１４では、判断用パターンＰＡＴの読取データが示す実搬送量と予め設定された搬送部２１による用紙Ｐの目標搬送量との差分が算出される。すなわち、制御部６１は、その機能部の１つである補正値算出部６６が記憶部６２に一時記憶されている判断用パターンＰＡＴの読取データを読み出し、その読取データに基づいて用紙Ｐに実際に印刷されている判断用パターンＰＡＴにおけるラインＬ同士の間隔Ｄで示される実搬送量を算出する。そして、補正値算出部６６は、記憶部６２に予め記憶されている目標搬送量のデータ値を読み出し、この目標搬送量のデータ値と実搬送量のデータ値との差分を算出する。
【００５０】
すると、次のステップＳ１５において、制御部６１は、その機能部の１つである交換要否判断部６７が記憶部６２に予め記憶されている閾値を読み出し、先のステップＳ１４で算出した実搬送量と目標搬送量との差分の絶対値が閾値よりも小さいか否かを判断する。そして、差分の絶対値が閾値よりも小さい（Ｓ１５＝ＹＥＳ）と判断した場合には、その処理をステップＳ１６に移行する一方、差分の絶対値が閾値以上である（Ｓ１５＝ＮＯ）と判断した場合には、その処理をステップＳ１７に移行する。
【００５１】
ここで、閾値の大きさは、実搬送量と目標搬送量との差分の値をローラーの回転速度を微調整することで用紙Ｐの搬送速度を補正するとした場合における、その補正に適用可能な許容限界の値として予め設定されている。換言すれば、閾値とは、搬送部２１の動作の補正で対応可能な値である許容値であると言える。印刷装置１４における搬送部２１は、ローラー個々の製品誤差や装置組立時の組み付け誤差などにより、実搬送量と目標搬送量とに差分を生じることがあり、通常、その差分が解消する方向にローラーの回転速度を微調整することで用紙Ｐの搬送速度が補正される。
【００５２】
しかし、こうした用紙Ｐの搬送速度の補正（ローラーの回転速度の微調整）は、実搬送量と目標搬送量との差分が僅かな値である場合に可能とされるものであり、その差分の値が余りに大きい場合には、ローラーの回転速度の微調整では対応できないことになる。そこで、予め実験などにより、ローラーの回転速度の微調整で対応可能な限界値を算出し、その算出した値を用紙Ｐの搬送速度の補正に適用可能な許容限界の値として予め設定している。
【００５３】
図５に戻り、差分の絶対値が閾値よりも小さい（Ｓ１５＝ＹＥＳ）と判断した場合は、ステップＳ１６において、制御部６１は、差分の値が解消する方向にローラーの回転速度を微調整するべく搬送系駆動部６３を制御する。そして、このステップＳ１６の処理を行った後、本ルーチンを終了する。
【００５４】
一方、差分の絶対値が閾値以上である（Ｓ１５＝ＮＯ）と判断した場合には、ステップＳ１７において、制御部６１は、ＰＣ１２の表示部１２ａ又は複合機１１の操作部１７の画面上に、用紙Ｐの搬送速度の補正（ローラーの回転速度の微調整）ができない程に差分が大きいので、部品の交換が必要である旨を報知するアラートを出力する。アラートの一例としては、部品の交換が必要であることを示すメッセージの表示である。したがって、本実施形態では、ステップＳ１４〜ステップＳ１７に至る処理ステップが、読取データと対応する判断用パターンＰＡＴの搬送方向でのパターン態様に基づき搬送部２１で用紙Ｐの搬送に関わるローラー（部品）の交換の要否を判断する判断ステップに相当する。交換要否判断プログラムは、判断ステップを実行可能とすることで、判断機能をコンピューターに実現させていると言える。判断機能についてまとめると、読取データに基づいて、搬送部２１における媒体（用紙Ｐ）の搬送に関わる部品の交換の要否を判断する機能であると言える。そして、このステップＳ１７の処理を行った後、本ルーチンを終了する。
【００５５】
次に、本実施形態の印刷システムの作用について、実搬送量と目標搬送量との差分の値が閾値を超えた場合の作用に着目して以下説明する。なお、前提として、印刷部２３により用紙Ｐに判断用パターンＰＡＴが印刷される状態において、その用紙Ｐは印刷部２３に最も近い位置に配置されたローラーである紙送りローラー対４８の紙送りローラーが主として接触しながら回転することにより搬送方向の上流側から下流側に搬送されているものとする。
【００５６】
さて、図６に示すように、搬送部２１のローラーの回転により搬送される途中の用紙Ｐに対して印刷部２３が印刷した判断用パターンＰＡＴの読取データから求まる実搬送量と目標搬送量との差分の値（搬送誤差）は、ローラーの回転が進むにつれて様々に変化する。この図６が示すグラフは、搬送部２１における紙送りローラーがｎ周目からｎ＋１周目の回転をしながら搬送している途中の用紙Ｐに印刷部２３が印刷した判断用パターンＰＡＴの読取りデータから求めた実搬送量と目標搬送量との差分の値（以下、「搬送量差分値」という。）の変化具合を示している。例えば、紙送りローラーを１０周程度連続して回転させた場合における搬送量差分値の変化度合に基づき、搬送速度の補正や部品交換の要否判断は行われる。
【００５７】
図６のグラフにおいて、紙送りローラーがｎ周目の回転角度θ１のときの搬送量差分値ΔＤ１は、実搬送量の方が目標搬送量よりも小さい負の値であって且つ閾値（−）よりも小さい。同様に、紙送りローラーがｎ周目及びｎ＋１周目の回転角度θ２のときの搬送量差分値ΔＤ２も、実搬送量の方が目標搬送量よりも小さい負の値であって且つ閾値（−）よりも小さい。したがって、この搬送量差分値ΔＤ１及び搬送量差分値ΔＤ２は、用紙Ｐの搬送速度の補正に適用可能な許容限界の値（閾値）よりも小さいことから、それらの値が基準値（０）になる方向へ紙送りローラーの回転速度が制御部６１により制御される。その結果、印刷装置１４においては搬送部２１による用紙Ｐの搬送速度が速くなるように微調整される。
【００５８】
一方、図６のグラフにおいて、紙送りローラーがｎ周目の回転角度θ３のときの搬送量差分値ΔＤ３は、実搬送量の方が目標搬送量よりも大きい正の値であって且つ閾値（＋）よりも大きい。すなわち、この搬送量差分値ΔＤ３は、用紙Ｐの搬送速度の補正に適用可能な許容限界の値（閾値）以上であるため、その値が基準値（０）になる方向へ紙送りローラーの回転速度が制御部６１により制御されることはない。そして、この場合には、搬送部２１において用紙Ｐの搬送に関わる部品である紙送りローラーの交換が必要である旨を報知するアラートがＰＣ１２の表示部１２ａ又は複合機１１の操作部１７の画面上に出力される。
【００５９】
また、図６のグラフにおいて、紙送りローラーがｎ周目の回転角度θ２の時点とｎ＋１周目の回転角度θ２の時点における搬送量差分値ΔＤ２は全く同じ大きさである。すなわち、紙送りローラーは、その回転を繰り返す場合において、同じ回転角度θ２の箇所で、全く同一の搬送量差分値を生じさせる。このことは、紙送りローラーが周期的に同じ回転角度となる箇所において、用紙Ｐ上に搬送方向での複数箇所を含むように印刷された判断用パターンＰＡＴは、他の箇所よりも特異なパターン態様になるということを意味する。そして、このことは他の回転角度の箇所では生じない現象であるので、この回転角度θ２となる箇所で紙送りローラーの外周面には搬送に支障を生じさせる可能性が高いキズなどがあると判断できる。そのため、この場合も、搬送量差分値が閾値以上である場合と同様に、搬送部２１において用紙Ｐの搬送に関わる部品である紙送りローラーの交換が必要である旨を報知するアラートが、ＰＣ１２の表示部１２ａ又は複合機１１の操作部１７の画面上に出力される。
【００６０】
上記の判断機能の内容についてまとめると、次のようになる。交換要否判断プログラムは、判断機能において、読取データが示す搬送部２１による実際の媒体（用紙Ｐ）の搬送量と、搬送部２１による目標とした媒体の搬送量との差分に基づいて、部品の交換の要否を判断する。より具体的には、判断機能において、差分の絶対値が、搬送部２１の動作の補正で対応可能な値である許容値以上である場合に、部品の交換が必要であると判断する。なお、差分の絶対値が、許容値を超える場合に部品の交換が必要であると判断してもよい。
【００６１】
また、上記実施形態の印刷装置１４についてまとめると、次のようになる。印刷装置１４は、媒体（用紙Ｐ）を搬送方向に搬送する搬送部２１と、媒体に印刷を行う印刷部２３と、を備えている。また、搬送部２１に媒体を搬送させる搬送制御と印刷部２３に媒体に対する印刷を行わせる印刷制御とを実行可能な制御部６１を備えている。そして、制御部６１は、交換要否判断プログラムにおけるデータ取得機能で取得される読取データと対応するパターンを、搬送制御及び印刷制御を実行することによって媒体に印刷させる。これにより、交換要否プログラムによる、印刷装置１４における搬送部２１の部品の交換要否の判断を高い信頼性に基づいて行うことができる。
【００６２】
上記実施形態によれば、以下に示す効果を得ることができる。
（１）制御部６１のデータ取得部６５がステップＳ１３で取得した読取データと対応する判断用パターンＰＡＴの搬送方向でのパターン態様において、搬送方向における所定箇所（例えば回転角度θ２）が他の箇所に比して特異なパターン態様になっている場合は、その箇所では他の箇所と異なり媒体の搬送に支障が生じると判断できる。また、その判断は、搬送部２１により実際に搬送される用紙Ｐに印刷部２３が実際に印刷した判断用パターンＰＡＴの読取データに基づいており、推測になってしまう換算処理はしていない。そのため、印刷装置１４における搬送部２１で用紙Ｐの搬送に関わるローラー（部品）の交換要否の判断を高い信頼性に基づいて行うことができる。
【００６３】
（２）実際に搬送部２１が用紙Ｐを搬送した実搬送量と予め目標の搬送量であるとして記憶部６２に設定記憶された目標搬送量との差分が閾値よりも小さい場合には、その差分の値に基づき搬送部２１による用紙Ｐの搬送速度を差分が解消される方向に補正することが可能になる。その一方、そのような差分が閾値以上である場合には、その差分に基づきローラーの回転速度を微調整するのは難しいので、そのような大きな差分を生み出す起因となった搬送部２１のローラー（部品）の交換要否の判断に利用し、交換を促すことができる。
【００６４】
（３）搬送部２１による用紙Ｐの実搬送量と予め設定した目標搬送量との差分の絶対値が閾値以上である場合には、搬送部２１のローラー（部品）の状態が著しく悪化していることが多いので、そのような場合においてローラー（部品）の交換が必要であると適切に判断することができる。
【００６５】
（４）印刷部２３により用紙Ｐに印刷される画像の品質に最も影響するローラーは搬送方向における複数箇所に配置された各ローラー対２４，２５，４１，４５，４７，４８のうち、紙送りローラー対４８を構成する紙送りローラーである。したがって、この紙送りローラーが回転して搬送されている状態の用紙Ｐに印刷部２３が印刷した判断用パターンＰＡＴに基づき求まる搬送量差分値と閾値とを比較した場合には、画像の品質に最も影響するローラーの交換の要否を判断できる。言い換えれば、印刷装置１４において、搬送部２１は、媒体（用紙Ｐ）の搬送に関わる部品として、搬送方向における複数箇所に配置された複数のローラーを含んでいる場合がある。このとき、制御部６１は、複数のローラーのうち最も印刷部２３に近い位置に配置されたローラーが媒体を搬送しているときには、印刷部２３によってパターンを媒体に印刷させる。これにより、画像の品質に最も影響するローラーの交換の要否を判断できる。
【００６６】
なお、上記実施形態は以下に示すように変更してもよい。
・印刷部２３により用紙Ｐに判断用パターンＰＡＴが印刷されるときに、その用紙Ｐに接触しつつ回転することで当該用紙Ｐの搬送に主として関わるローラーは紙送りローラー対４８の紙送りローラーに限らない。すなわち、複数のローラー対２４，２５，４１，４５，４７，４８のローラーのうち、何れか１つのローラー（第１のローラー、第２のローラー）が用紙Ｐに接触して回転しているときに、印刷部２３がその用紙Ｐに対して判断用パターンＰＡＴ（第１のパターン、第２のパターン）を印刷するようにしてもよい。用紙Ｐに対するローラーの接触状態（接触又は非接触）の変更は、例えば、鉛直方向Ｚにローラーを動かすことによって行うことができる。まとめると、搬送部２１は、媒体（用紙Ｐ）の搬送に関わる部品として、第１のローラーと、第２のローラーと、を含んでいる場合がある。このとき、制御部６１は、第１のローラーが搬送方向に媒体を搬送しているときに、印刷部２３によって第１のパターンをパターンとして媒体に印刷させ、第２のローラーが搬送方向に媒体を搬送しているときに、印刷部２３によって第２のパターンをパターンとして媒体に印刷させる。このようにすれば、複数のローラーごとに対応するパターンを印刷し、それぞれのパターンに対応した読取データを取得可能であるので、ローラーが複数存在する場合でも、各ローラーについて交換の要否を判断することができる。
【００６７】
・搬送部２１のローラー（部品）の交換の要否を判断する際に利用する判断用パターンＰＡＴは、搬送方向と直交する方向に延びる複数本のラインＬが搬送方向に一定の間隔Ｄをおいて並んだパターンに限らない。例えば、用紙Ｐ上で用紙Ｐの搬送方向における複数の箇所を印刷箇所に含むパターンであれば、点、○印、△印などが一定の間隔Ｄをおいて並ぶパターンでもよい。更に、一本の連続した線が用紙Ｐ上で用紙Ｐの搬送方向において搬送方向と直交する方向への蛇行形状を含むＳ字状などの曲線のパターンでもよい。
【００６８】
・実搬送量と目標搬送量との差分の絶対値と比較する閾値の大きさは、正の閾値（＋）と負の閾値（−）の大きさが不均等であってもよい。
・判断用パターンＰＡＴにおいて用紙Ｐの搬送方向で隣り合うラインＬ同士の間隔は、ローラーの回転角度が６０度間隔である場合に限らず、例えば７２度間隔である場合など任意に変更可能である。
【００６９】
・搬送部２１のローラー（部品）の交換の要否を判断するためにローラーを回転させる回数は、１０周程度連続して回転させる場合に限らない。２回転以上である方が好ましいが、１回転であってもよい。
【００７０】
・印刷装置１４は搬送部２１において用紙Ｐを搬送する際にその用紙Ｐに接触して回転する部品がローラーではなく無端状のベルトであってもよい。
・上記実施形態において、印刷装置１４は、インク以外の他の液体を噴射したり吐出したりする液体噴射装置であってもよい。
【００７１】
・交換要否判断プログラムは、印刷装置１４ではなく、ＰＣ１２等の外部の装置に記憶される構成であってもよい。
・アラートは、表示に限らない。音や振動によって部品の交換が必要である旨を報知してもよい。
【００７２】
・媒体は、紙を素材とするものに限らず、布や塩化ビニル樹脂を素材とするものを用いてもよい。
・上記の「ローラー対」とは、２つのローラーで、媒体を挟む構成のことである。例えば、モーターで駆動する駆動ローラーと、駆動ローラーの回転に連動して回転する従動ローラーと、によって構成される。ただし、上記の各「ローラー対」は、対ではなく単一のローラーによって構成するように変更してもよい。
【符号の説明】
【００７３】
１４…印刷装置、２１…搬送部、２３…印刷部、６０…コンピューター、６１…制御部、ΔＤ1，ΔＤ２，ΔＤ３…差分、ＰＡＴ…判断用パターン。
【図１】
2016138996.tif 000003
【図２】
2016138996.tif 000004
【図３】
2016138996.tif 000005
【図４】
2016138996.tif 000006
【図５】
2016138996.tif 000007
【図６】
2016138996.tif 000008